(57)【要約】【課題】フロントリテーナを利用して端子金具の前端部のがたつきを抑制することが可能なコネクタを提供する。【解決手段】各キャビティ１３Ｆ，１３Ｓの前端部の一方の側には、端子金具５０を挿入する際には端子金具５０と接触して撓み空間２５に弾性撓みし、端子金具５０が正規位置に挿入されると弾性復帰して端子金具５０に係止するランス２２Ｆ，２２Ｓが設けられ、並列方向に隣接するキャビティ１３Ｆ，１３Ｓの間の隔壁１４には、隣接するキャビティ１３Ｆ，１３Ｓのうち一方のキャビティ１３Ｓの撓み空間２５と、他方のキャビティ１３Ｆとに連通するとともに、ハウジング１０の前方に開口するスリット３４が形成され、フロントリテーナ４０が、スリット３４から一方のキャビティ１３Ｓの撓み空間２５に入り込むとともに、他方のキャビティ１３Ｆに収容されている端子金具５０の前端部５１の側面に接触する突出片４１Ｓを備えている。【選択図】図１
2017045668.tif 000002
【特許請求の範囲】
【請求項１】
端子金具が収容されるキャビティが複数並列されているハウジングと、
前記ハウジングの前面に装着されるフロントリテーナと、を備え、
前記各キャビティの前端部の前記キャビティの並列方向における一方の側には、前記キャビティに挿入された前記端子金具に係合することで前記端子金具を抜け止めするランスが設けられ、
前記並列方向に隣接する前記キャビティの間の隔壁には、隣接する前記キャビティのうち一方のキャビティ内に設けられた前記ランスの撓み変位を許容する撓み空間と、他方のキャビティとに連通するとともに、前記ハウジングの前方に開口するスリットが形成され、
前記フロントリテーナが、前記スリットから前記撓み空間に入り込むとともに、前記他方のキャビティに収容されている前記端子金具の前端部の側面に接触する突出片を備えているコネクタ。
【請求項２】
前記ハウジングが、前記キャビティに挿入された前記端子金具を前止めする前壁を有し、
前記スリットのうち前記前壁に形成された部分において前記他方のキャビティ側に位置する面が、前記他方のキャビティのうち前記一方のキャビティ側に位置する面よりも前記他方のキャビティ側にずれた位置に配されている請求項１に記載のコネクタ。
【請求項３】
前記ランスに突部が設けられ、
前記ランスが前記撓み空間に弾性撓みする際には、前記突部が前記スリットに入り込むようになっている請求項１または請求項２に記載のコネクタ。
【請求項４】
前記突部が、前記ランスの幅方向における中央部に設けられ、
前記ランスのうち前記突部の両側の部分が、前記スリットの両側の部分に当接して前記ランスの過度撓みを防止する過度撓み規制部となっている請求項３に記載のコネクタ。
【発明の詳細な説明】
【技術分野】
【０００１】
本発明は、コネクタに関する。
【背景技術】
【０００２】
従来、ハウジングのキャビティに収容された端子金具を、ランスによって抜け止めするようにしたコネクタが知られている。ランスは、各キャビティに設けられ、端子金具を挿入する際には端子金具と接触して撓み空間に弾性撓みし、端子金具が正規位置に挿入されると弾性復帰して端子金具に係止するようになっている。
【０００３】
この種のコネクタにおいて、ハウジングの前面にフロントリテーナを装着し、端子金具の抜け止め力を増強させたコネクタが知られている。例えば下記特許文献１に記載のコネクタは、上下方向に２段にわけてキャビティが設けられており、各キャビティの下面側にランスが備えられている。ランスの下方には、キャビティの壁とランスとの間に撓み空間が形成され、撓み空間はハウジングの前方に開放されている。このコネクタは、キャビティに端子金具を挿入し終えた状態でフロントリテーナが装着されると、フロントリテーナの規制片が撓み空間に進入し、ランスの弾性撓みを規制するようになっている。これにより、端子金具が二重係止状態となって確実に抜け止めされる。
【先行技術文献】
【特許文献】
【０００４】
【特許文献１】特開２００５−１６６６０７号公報
【発明の概要】
【発明が解決しようとする課題】
【０００５】
ところで、上記のような構成のコネクタは、キャビティの前端部が、ランスとキャビティの壁とによって囲まれている。このため、キャビティの前端部と端子金具の前端部との間に上下方向の隙間ができることが避け難く、端子金具の前端部が上下方向にがたつく虞がある。端子金具の前端部ががたつくと、端子金具の磨耗を招く虞があるため、フロントリテーナを利用して端子金具の前端部のがたつきを抑制したいという要望があった。
【０００６】
本発明は上記のような事情に基づいて完成されたものであって、フロントリテーナを利用して端子金具の前端部のがたつきを抑制することが可能なコネクタを提供することを目的とする。
【課題を解決するための手段】
【０００７】
本発明のコネクタは、端子金具が収容されるキャビティが複数並列されているハウジングと、前記ハウジングの前面に装着されるフロントリテーナと、を備え、前記各キャビティの前端部の前記キャビティの並列方向における一方の側には、前記キャビティに挿入された前記端子金具に係合することで前記端子金具を抜け止めするランスが設けられ、前記並列方向に隣接する前記キャビティの間の隔壁には、隣接する前記キャビティのうち一方のキャビティ内に設けられた前記ランスの撓み変位を許容する撓み空間と、他方のキャビティとに連通するとともに、前記ハウジングの前方に開口するスリットが形成され、前記フロントリテーナが、前記スリットから前記撓み空間に入り込むとともに、前記他方のキャビティに収容されている前記端子金具の前端部の側面に接触する突出片を備えている。
【発明の効果】
【０００８】
本発明によれば、フロントリテーナの突出片によって、他方のキャビティの前端部と、他方のキャビティに収容されている端子金具の前端部との間における、キャビティの並列方向の隙間が埋められるから、フロントリテーナを利用して端子金具の前端部のがたつきを抑制することができる。
【図面の簡単な説明】
【０００９】
【図１】本実施例におけるコネクタであって、フロントリテーナが正規の位置に装着された状態を示す断面図
【図２】ハウジングを示す正面図
【図３】ハウジングの断面を示す斜視図
【図４】フロントリテーナを示す背面図
【図５】フロントリテーナが正規の位置に装着された状態を示すコネクタの正面図
【図６】フロントリテーナによって端子金具の半挿入状態が検知された状態を示すコネクタの断面図
【発明を実施するための形態】
【００１０】
本発明の好ましい形態を以下に示す。
本発明のコネクタは、前記ハウジングが、前記キャビティに挿入された前記端子金具を前止めする前壁を有し、前記スリットのうち前記前壁に形成された部分において前記他方のキャビティ側に位置する面が、前記他方のキャビティのうち前記一方のキャビティ側に位置する面よりも前記他方のキャビティ側にずれた位置に配されているものとしてもよい。このような構成によれば、突出片を撓ませることなく、他方のキャビティに収容されている端子金具の前端部の側面に接触させることができる。
【００１１】
また、本発明のコネクタは、前記ランスに突部が設けられ、前記ランスが前記撓み空間に弾性撓みする際には、前記突部が前記スリットに入り込むようになっているものとしてもよい。このような構成によれば、ランスに突部を設けることによってランスの抜け止め力を増強することができる。また、突部はスリットに入り込むから撓み空間の大きさを抑えることができ、スリットが無い場合に比して隣接する端子金具のピッチを小さくすることができる。
【００１２】
また、本発明のコネクタは、前記突部が、前記ランスの幅方向における中央部に設けられ、前記ランスのうち前記突部の両側の部分が、前記スリットの両側の部分に当接して前記ランスの過度撓みを防止する過度撓み規制部となっているものとしてもよい。このような構成によれば、過度撓み規制部が２か所にわかれ、面ではなく点で当接するから、成形平行度の精度に関係なく過度撓みを防止することができる。
【００１３】
＜実施例＞
以下、本発明を具体化した一実施例について、図１〜図６を参照しつつ詳細に説明する。
本実施例におけるコネクタＣは、端子金具５０が収容されるハウジング１０と、ハウジング１０の前面に装着されるフロントリテーナ４０と、を備えている。以下、各構成部材において、図示しない相手側コネクタとの嵌合面側（図１では左側）を前方、その反対側を後方とし、また、図１の上側を上方、下側を下方として説明する。
【００１４】
端子金具５０は、導電性に優れた金属板をプレス加工して形成されており、前端部は、図示しない相手側端子金具と接続される接続部５１とされている。接続部５１は角筒形をなし、相手側端子金具のタブが前方から挿入可能とされている。接続部５１の上面には、後述する第１ランス２２Ｆおよび第２ランス２２Ｓが係止可能な係止部５２が突設されている。係止部５２は、接続部５１の前後方向における中央部に設けられている。端子金具５０の後端部は、電線５３の端末部にカシメつけられて固着されている。
【００１５】
ハウジング１０は、合成樹脂製であって、端子金具５０が収容される端子収容部１１と、端子収容部１１の外周を覆うフード部１２とを備えている。
端子収容部１１には、上下２段にわけて複数のキャビティ（以後、上段のキャビティを第１キャビティ１３Ｆ、下段のキャビティを第２キャビティ１３Ｓと称する）が設けられている。第１キャビティ１３Ｆと第２キャビティ１３Ｓとの間は、隔壁１４で仕切られている。第１キャビティ１３Ｆおよび第２キャビティ１３Ｓは、複数（本実施例では３つ）ずつ横並びに配置されている。上下方向に隣接する第１キャビティ１３Ｆと第２キャビティ１３Ｓとは、横方向の位置が揃えられている（図２参照）。
【００１６】
第１キャビティ１３Ｆおよび第２キャビティ１３Ｓは、図１に示すように、いずれも前後方向に長い形状をなし、後方から端子金具５０を挿入可能とされている。第１キャビティ１３Ｆおよび第２キャビティ１３Ｓの前端部は、略長方形の断面形状をなし、端子金具５０の接続部５１が収容される。また、第１キャビティ１３Ｆおよび第２キャビティ１３Ｓの後端部は、略円形の断面形状をなし、電線５３の端末部に嵌着されたゴム栓５４が密着する。なお、すべての第１キャビティ１３Ｆおよび第２キャビティ１３Ｓは、概ね同形状とされている。
【００１７】
第１キャビティ１３Ｆおよび第２キャビティ１３Ｓの下面１５の前後方向における中央部には、上側に若干膨出した形態で膨出部１６が設けられている。膨出部１６は、第１キャビティ１３Ｆおよび第２キャビティ１３Ｓの幅方向の中央部に位置している。第１キャビティ１３Ｆの膨出部１６は隔壁１４に形成され、第２キャビティ１３Ｓの膨出部１６は端子収容部１１の下壁１７に形成されている。
【００１８】
端子収容部１１の前端部には、第１キャビティ１３Ｆおよび第２キャビティ１３Ｓに挿入された端子金具５０を前止めする前壁１８が設けられている。前壁１８は、第１キャビティ１３Ｆおよび第２キャビティ１３Ｓの上下方向における略下半分をそれぞれ覆うように設けられている。
【００１９】
各前壁１８の略上半分における幅方向中央部には、相手側端子金具のタブを前方から挿通可能な挿通孔１９が形成されている。挿通孔１９は、上方に開放された四角形状をなす凹みである。
【００２０】
第１キャビティ１３Ｆの前壁１８の下面は、第１キャビティ１３Ｆの下面１５と略同一高さに位置している。第２キャビティ１３Ｓの前壁１８は、端子収容部１１の下壁１７と一体に形成されており、第２キャビティ１３Ｓの膨出部１６と対応する位置には、膨出部１６を形成するための抜き穴２１があけられている。
【００２１】
第１キャビティ１３Ｆおよび第２キャビティ１３Ｓの前端部には、端子金具５０に係止して抜け止めするランス（以後、第１キャビティ１３Ｆのランスを第１ランス２２Ｆ、第２キャビティ１３Ｓのランスを第２ランス２２Ｓと称する）が設けられている。第１ランス２２Ｆおよび第２ランス２２Ｓは、第１キャビティ１３Ｆおよび第２キャビティ１３Ｓの上面２３側（キャビティの並列方向における一方の側）に設けられている。
【００２２】
第１ランス２２Ｆは、端子収容部１１の上壁２４に形成され、第２ランス２２Ｓは、隔壁１４に形成されている。第２ランス２２Ｓは、第１キャビティ１３Ｆの膨出部１６の前側に位置している。なお、すべての第１キャビティ１３Ｆおよび第２キャビティ１３Ｓにおいて第１ランス２２Ｆおよび第２ランス２２Ｓの位置、形状は概ね同じとされている。
【００２３】
第１ランス２２Ｆおよび第２ランス２２Ｓは、後端側が基端、前端側が自由端とされた片持ち状をなし、それぞれの上方に形成された撓み空間２５に弾性撓み可能とされている。第１ランス２２Ｆの撓み空間２５は、端子収容部１１の上壁２４と第１ランス２２Ｆとの間に設けられ、第２ランス２２Ｓの撓み空間２５は、隔壁１４と第２ランス２２Ｓとの間に設けられている。
【００２４】
第１ランス２２Ｆおよび第２ランス２２Ｓは、端子金具５０を挿入する際には端子金具５０と接触して撓み空間２５に弾性撓みし、端子金具５０が正規位置に挿入されると弾性復帰して端子金具５０の係止部５２に係止する。第１ランス２２Ｆおよび第２ランス２２Ｓの前方は、撓み空間２５および第１ランス２２Ｆまたは第２ランス２２Ｓの全体をハウジング１０の前面側に開放する開放空間２６とされている。
【００２５】
第１ランス２２Ｆおよび第２ランス２２Ｓは、略水平をなす基端部２７と、基端部２７の前端から前方に向かって斜め下向きに傾斜する傾斜部２８と、傾斜部２８の前端から前方に向かって略水平に延出する自由端部２９とを有している。
【００２６】
第１ランス２２Ｆおよび第２ランス２２Ｓの上面には、図１、図２に示すように、突部３１が突設されている。突部３１は、第１ランス２２Ｆおよび第２ランス２２Ｓの幅方向における中央部に設けられている。突部３１は、第１ランス２２Ｆおよび第２ランス２２Ｓの前端部に設けられている。突部３１の断面形状（前後方向に対して略直交する断面形状）は、横方向（幅方向）に長い長方形状をなしている。突部３１の幅寸法は、全長にわたり概ね一定とされ、後述する溝部３３またはスリット３４に入ることが可能な寸法とされている。
【００２７】
第１ランス２２Ｆおよび第２ランス２２Ｓのうち突部３１の両側の部分は、溝部３３またはスリット３４の両側の部分に当接して第１ランス２２Ｆまたは第２ランス２２Ｓの過度撓みを防止する過度撓み規制部３２となっている。過度撓み規制部３２は、第１ランス２２Ｆおよび第２ランス２２Ｓの前端上縁であり、溝部３３またはスリット３４の両側の部分に点で当接する。
【００２８】
第１キャビティ１３Ｆの上面２３には、後述するフロントリテーナ４０の第１突出片４１Ｆの突出部４５が前方から挿入される溝部３３が形成されている。溝部３３は、端子収容部１１の上壁２４の一部を上側に凹ませた形態で形成され、端子収容部１１の前方に開口している。溝部３３は、端子収容部１１の前端から第１ランス２２Ｆの基端（後端）に至るまで前後方向に延びている。溝部３３は、第１キャビティ１３Ｆの幅方向における中央部に形成されている（図２参照）。第１キャビティ１３Ｆの上面２３のうち溝部３３の両側の部分に、第１ランス２２Ｆの過度撓み規制部３２が当接可能とされている。溝部３３の幅寸法は、第１ランス２２Ｆの突部３１の幅寸法と同等とされている。
【００２９】
第２キャビティ１３Ｓの上面２３には、後述するフロントリテーナ４０の第２突出片４１Ｓの突出部４５が前方から挿入されるスリット３４が形成されている。スリット３４は、図３に示すように、隔壁１４の一部を切り欠いた形態で形成され、端子収容部１１の前方に開口している。スリット３４は、端子収容部１１の前端から第２ランス２２Ｓの基端（後端）に至るまで前後方向に延びている。スリット３４は、第２キャビティ１３Ｓの幅方向における中央部に形成されている。スリット３４の幅寸法は、第２ランス２２Ｓの突部３１の幅寸法と同等とされている。第２キャビティ１３Ｓの上面２３のうちスリット３４の両側の部分に、第２ランス２２Ｓの過度撓み規制部３２が当接可能とされている。
【００３０】
スリット３４は、第１キャビティ１３Ｆの前壁１８の下部を上方に凹んだ形態で前後方向に貫通し、前壁１８よりも後方においては隔壁１４を上下方向に貫通している。
【００３１】
スリット３４のうち第１キャビティ１３Ｆの前壁１８の下部に形成された部分（以後、貫通凹部３５と称する）を含む全体は、前方から見ると、図２に示すように、横長の長方形状をなしている。スリット３４の幅寸法および上下方向の寸法は、第１キャビティ１３Ｆの溝部３３と同等の寸法とされている。貫通凹部３５の上面（他方のキャビティ側に位置する面）３６は、第１キャビティ１３Ｆの下面（他方のキャビティのうち一方のキャビティ側に位置する面）１５よりも上側（他方のキャビティ側）にずれた位置に配されている。
【００３２】
スリット３４のうち貫通凹部３５よりも後側の部分は、図１に示すように、全長にわたり第１キャビティ（他方のキャビティ）１３Ｆに連通している。スリット３４のうち貫通凹部３５よりも後側の部分のうち第２ランス２２Ｓの前側に位置する部分は、第２キャビティ１３Ｓの開放空間２６に連通している。また、スリット３４のうち第２ランス２２Ｓの上側に位置する部分は、第２ランス２２Ｓの撓み空間２５（一方のキャビティの撓み空間）に連通している。
【００３３】
フロントリテーナ４０は、合成樹脂製であって、全体として、ハウジング１０の端子収容部１１の前端部に外嵌するキャップ状に形成されている。
フロントリテーナ４０は、溝部３３およびスリット３４を通って端子収容部１１内に入り込む突出片（以後、溝部３３を通る突出片を第１突出片４１Ｆ、スリット３４を通る突出片を第２突出片４１Ｓと称する）を備えている。
【００３４】
第１突出片４１Ｆおよび第２突出片４１Ｓは、端子収容部１１の開放空間２６にそれぞれ対応する位置に設けられ、フロントリテーナ４０の前枠部４２の後面から後方に突出している。第１突出片４１Ｆおよび第２突出片４１Ｓは、前端が基端、後端が自由端の片持ち状をなしている。第１突出片４１Ｆおよび第２突出片４１Ｓは、前後方向に延びる一対のアーム部４３を有し、一対のアーム部４３は、先端側において連結されている。以後、一対のアーム部４３を連結する先端部分を先端部４４と称する。
【００３５】
一対のアーム部４３は、ほぼ同じ長さ寸法を有し、略水平方向に延出している。先端部４４は、第１突出片４１Ｆおよび第２突出片４１Ｓの長さ方向における略後半部分に設けられている。先端部４４の幅方向における中央部には、図４に示すように、一対のアーム部４３よりも一段上方に突出した突出部４５が設けられている。突出部４５は、後方から見ると横長の長方形状をなしている。突出部４５の幅寸法は、第１ランス２２Ｆおよび第２ランス２２Ｓの突部３１の幅寸法と同等の寸法とされ、突出部４５の突出寸法は、突部３１の突出寸法と同等の寸法とされている。
【００３６】
フロントリテーナ４０がハウジング１０の正規の位置に装着されると、図１に示すように、第１突出片４１Ｆが開放空間２６および溝部３３を通って第１ランス２２Ｆの撓み空間２５に入り込み、第２突出片４１Ｓが開放空間２６およびスリット３４を通って第２ランス２２Ｓの撓み空間２５に入り込む。また、フロントリテーナ４０がハウジング１０の正規の位置に装着されると、第２突出片４１Ｓの突出部４５の上面（突出端面）が第１キャビティ１３Ｆに収容されている端子金具５０の接続部５１の下面（側面）に接触する。なお、先端部４４の下面には、後方から見ると略台形状をなす凹部４６が凹み形成されている（図４参照）。
【００３７】
次に、コネクタＣの組み付け作業の一例を説明する。
まず、端子金具５０をハウジング１０の端子収容部１１に収容する。この作業の際、フロントリテーナ４０は取り外しておく。電線５３の端末部に固着された端子金具５０を、第１キャビティ１３Ｆまたは第２キャビティ１３Ｓに後方から挿入する。端子金具５０の接続部５１が第１キャビティ１３Ｆまたは第２キャビティ１３Ｓの前端部に至ると、第１ランス２２Ｆまたは第２ランス２２Ｓに接触し、端子金具５０によって押された第１ランス２２Ｆまたは第２ランス２２Ｓは、撓み空間２５に弾性撓みする。この際、第１ランス２２Ｆの突部３１は溝部３３に入り込み、第２ランス２２Ｓの突部３１はスリット３４に入り込む。
【００３８】
ここで、端子金具５０を挿入する際に、端子金具５０が斜めに傾くなどして第１ランス２２Ｆまたは第２ランス２２Ｓが過度に撓ませられそうになると、上方に持ち上がった第１ランス２２Ｆまたは第２ランス２２Ｓの前端に設けられた過度撓み規制部３２が、溝部３３の両側の部分またはスリット３４の両側の部分に当接する。これにより、第１ランス２２Ｆまたは第２ランス２２Ｓの過度撓みが防止され、第１ランス２２Ｆおよび第２ランス２２Ｓの破損や変形が防がれる。
【００３９】
端子金具５０が正規の位置に至ると、前壁１８に当接して前止まりし、第１ランス２２Ｆまたは第２ランス２２Ｓは弾性復帰して端子金具５０の係止部５２に後方から係止する。こうして、すべての端子金具５０を第１キャビティ１３Ｆおよび第２キャビティ１３Ｓに順に挿入する。
【００４０】
すべての端子金具５０を端子収容部１１に挿入し終えたら、フロントリテーナ４０を装着する。第１突出片４１Ｆおよび第２突出片４１Ｓを後ろ向きにして、ハウジング１０の前方からフロントリテーナ４０を装着する。第１突出片４１Ｆは、弾性撓みすることなく第１キャビティ１３Ｆの開放空間２６および溝部３３に差し入れられ、第２突出片４１Ｓは、弾性撓みすることなく貫通凹部３５を通過して第２キャビティ１３Ｓの開放空間２６およびスリット３４に差し入れられる。
【００４１】
ここで、図６に示すように、半挿入状態に留め置かれたままの端子金具５０が存在する場合には、半挿入状態の端子金具５０に押されて第１ランス２２Ｆまたは第２ランス２２Ｓ（図６では第２ランス２２Ｓ）が撓み空間２５に位置した状態になっている。このため、第１突出片４１Ｆまたは第２突出片４１Ｓ（図６では第２突出片４１Ｓ）の先端部４４が、撓み空間２５に位置する第１ランス２２Ｆまたは第２ランス２２Ｓ（図６では第２ランス２２Ｓ）に突き当たって、フロントリテーナ４０の押し込みができず、フロントリテーナ４０がハウジング１０から前方に突出した状態になる。これにより、端子金具５０の半挿入状態を検知できる。半挿入状態の端子金具５０を正規の位置まで挿入すると、第１ランス２２Ｆまたは第２ランス２２Ｓ（図６では第２ランス２２Ｓ）が弾性復帰して撓み空間２５から退避する。
【００４２】
全ての端子金具５０が正規の挿入状態になった後、フロントリテーナ４０を押し込むと、フロントリテーナ４０は前進し、図１に示すように、第１突出片４１Ｆおよび第２突出部４５の先端部４４は、それぞれ対応する撓み空間２５に入り込む。このとき、第１ランス２２Ｆおよび第２ランス２２Ｓの突部３１は、先端部４４の凹部４６に入り込む（図５参照）。
【００４３】
第１突出片４１Ｆの先端部４４は、第１ランス２２Ｆの撓み空間２５に入り込み、端子収容部１１の上壁２４と第１ランス２２Ｆとの両方に接触した状態になる。また、第２突出片４１Ｓの先端部４４は、第１キャビティ１３Ｆに収容された端子金具５０と第２ランス２２Ｓとの両方に接触した状態になる。第２突出片４１Ｓの突出部４５は、第１キャビティ１３Ｆに収容された端子金具５０の下面に接触し、端子金具５０を上方に若干押圧した状態になる。
【００４４】
こうして、すべての第１ランス２２Ｆおよび第２ランス２２Ｓの係止解除方向の弾性撓みが、第１突出片４１Ｆおよび第２突出片４１Ｓによって規制される。また、第１突出片４１Ｆおよび第２突出片４１Ｓの先端部４４によって、第１キャビティ１３Ｆおよび第２キャビティ１３Ｓの前端部の上下方向の隙間が埋められ、第１キャビティ１３Ｆおよび第２キャビティ１３Ｓに収容された端子金具５０の接続部５１の上下方向のがたつきが抑制される。
以上により、コネクタＣの組み付け作業が完了する。
【００４５】
次に、上記のように構成された実施例の作用および効果について説明する。
本実施例のコネクタＣは、端子金具５０が収容される第１キャビティ１３Ｆおよび第２キャビティ１３Ｓが複数並列されているハウジング１０と、ハウジング１０の前面に装着されるフロントリテーナ４０と、を備えている。第１キャビティ１３Ｆおよび第２キャビティ１３Ｓの前端部の上側には、端子金具５０を挿入する際には端子金具５０と接触して撓み空間２５に弾性撓みし、端子金具５０が正規位置に挿入されると弾性復帰して端子金具５０に係止する第１ランス２２Ｆおよび第２ランス２２Ｓが設けられている。上下方向に隣接する第１キャビティ１３Ｆおよび第２キャビティ１３Ｓの間の隔壁１４には、第２キャビティ１３Ｓの撓み空間２５と、第１キャビティ１３Ｆとに連通するとともに、ハウジング１０の前方に開口するスリット３４が形成されている。フロントリテーナ４０は、スリット３４から第２キャビティ１３Ｓの撓み空間２５に入り込むとともに、第１キャビティ１３Ｆに収容されている端子金具５０の接続部５１の下面に接触する第２突出片４１Ｓを備えている。この構成によれば、フロントリテーナ４０の第２突出片４１Ｓによって、第１キャビティ１３Ｆの前端部と第１キャビティ１３Ｆに収容されている端子金具５０の接続部５１との間における上下方向（第１キャビティ１３Ｆおよび第２キャビティ１３Ｓの並列方向）の隙間が埋められるから、フロントリテーナ４０を利用して端子金具５０のがたつきを抑制することができる。
【００４６】
また、ハウジング１０が、第１キャビティ１３Ｆおよび第２キャビティ１３Ｓに挿入された端子金具５０を前止めする前壁１８を有し、スリット３４のうち前壁１８に形成された貫通凹部３５の上面３６が、第１キャビティ１３Ｆの下面１５よりも上側にずれた位置に配されている。
【００４７】
ここで、第１キャビティ１３Ｆに収容されている端子金具５０の接続部５１の下面は、第１キャビティ１３Ｆの下面１５に沿って配される。このため、上記構成とは逆の構成である場合、すなわち前壁１８に形成された貫通凹部の上面３６が、第１キャビティ１３Ｆの下面よりも、下側にずれた位置に配されている場合には、第１キャビティ１３Ｆに収容されている端子金具５０の接続部５１の下面に第２突出片４１Ｓを接触させるために、第２突出片４１Ｓが貫通凹部３５を通過する際に弾性撓みする（貫通凹部３５の下方をくぐる）必要がある。しかしながら、上記のような構成であれば、第２突出片４１Ｓを撓ませることなく、第１キャビティ１３Ｆに収容されている端子金具５０の接続部５１の下面に接触させることができる。
【００４８】
また、第１ランス２２Ｆおよび第２ランス２２Ｓに突部３１が設けられ、第１ランス２２Ｆおよび第２ランス２２Ｓが撓み空間２５に弾性撓みする際には、突部３１が溝部３３またはスリット３４に入り込むようになっている。この構成によれば、第１ランス２２Ｆおよび第２ランス２２Ｓに突部３１を設けることによって第１ランス２２Ｆおよび第２ランス２２Ｓの抜け止め力を増強することができる。また、突部３１は溝部３３またはスリット３４に入り込むから撓み空間２５の大きさを抑えることができ、溝部３３またはスリット３４が無い場合に比して隣接する端子金具５０のピッチを小さくすることができる。
【００４９】
また、突部３１が、第１ランス２２Ｆおよび第２ランス２２Ｓの幅方向における中央部に設けられ、第１ランス２２Ｆおよび第２ランス２２Ｓのうち突部３１の両側の部分が、溝部３３またはスリット３４の両側の部分に当接して第１ランス２２Ｆまたは第２ランス２２Ｓの過度撓みを防止する過度撓み規制部３２となっている。この構成によれば、過度撓み規制部が２か所にわかれ、面ではなく点で当接するから、成形平行度の精度に関係なく過度撓みを防止することができる。
【００５０】
＜他の実施例＞
本発明は上記記述及び図面によって説明した実施例に限定されるものではなく、例えば次のような実施例も本発明の技術的範囲に含まれる。
（１）上記実施例では、第１キャビティ１３Ｆおよび第２キャビティ１３Ｓの前端部の上側に第１ランス２２Ｆおよび第２ランス２２Ｓが設けられているが、これに限らず、各キャビティの前端部の下側にランスが設けられていてもよい。
（２）上記実施例では、第１キャビティ１３Ｆおよび第２キャビティ１３Ｓが２段にわけて設けられているが、これに限らず、本発明は、キャビティが３段以上にわけて設けられたコネクタにも適用することができる。
（３）上記実施例では、第１突出片４１Ｆの先端部４４が端子収容部１１の上壁２４と第１ランス２２Ｆとの両方に接触するものとされているが、必ずしも、第１突出片の先端部は、端子収容部の上壁と第１ランスとの両方に接触しなくてもよい。
（４）上記実施例では、第２突出片４１Ｓの先端部４４は、第２ランス２２Ｓに接触するものとされているが、必ずしも、第２突出片の先端部は、第２ランスに接触しなくてもよい。
（５）上記実施例では、スリット３４のうち前壁１８に形成された貫通凹部３５の上面３６が、第１キャビティ１３Ｆの下面１５よりも上側にずれた位置に配されているが、これに限らず、貫通凹部の上面が第１キャビティの下面と同等の高さに配されていてもよく、また貫通凹部の上面が第１キャビティの下面よりも下側にずれた位置に配されていてもよい。このような場合には、第２突出片が貫通凹部をくぐった後、上側に変位し、第１キャビティに収容された端子金具の下面に接触するようにしてもよい。
（６）上記実施例では、第１ランス２２Ｆおよび第２ランス２２Ｓに突部３１が設けられているが、これに限らず、ランスに突部を設けなくてもよい。
（７）上記実施例では、第１ランス２２Ｆおよび第２ランス２２Ｓの突部３１が、第１ランス２２Ｆおよび第２ランス２２Ｓの幅方向における中央部に設けられているが、これに限らず、例えばランスの突部がランスの幅方向における両端部に設けられ、幅方向における中央部が凹んだ形状としてもよく、このような場合には、一対の突部に対応してスリットおよび溝部を一対設けてもよい。
【符号の説明】
【００５１】
Ｃ…コネクタ
１０…ハウジング
１３Ｓ…第２キャビティ（一方のキャビティ）
１３Ｆ…第１キャビティ（他方のキャビティ）
１４…隔壁
１５…第１キャビティの下面（他方のキャビティのうち一方のキャビティ側に位置する面）
１８…前壁
２２Ｆ…第１ランス
２２Ｓ…第２ランス
２５…撓み空間
３１…突部
３２…過度撓み規制部
３４…スリット
３５…貫通凹部（スリットのうち前壁に形成された部分）
３６…貫通凹部の上面（他方のキャビティ側に位置する面）
４０…フロントリテーナ
４１Ｓ…第２突出片
５０…端子金具
５１…接続部（端子金具の前端部）
【図１】
2017045668.tif 000003
【図２】
2017045668.tif 000004
【図３】
2017045668.tif 000005
【図４】
2017045668.tif 000006
【図５】
2017045668.tif 000007
【図６】
2017045668.tif 000008